(57)【特許請求の範囲】
【請求項１】
固定接点を有する一対の固定接触子と、
これら一対の固定接触子の前記固定接点に接離可能な一対の可動接点を長手方向の両端側に設けた可動接触子と、
前記一対の固定接触子及び前記可動接触子を収納している絶縁材で形成した絶縁ケースと、
この絶縁ケースに固定したアーク消弧用永久磁石と、を備え、
前記固定接点及び前記可動接点の間に発生するアークの電流と、前記アーク消弧用永久磁石の磁束とによって、前記アークにローレンツ力を発生させ、
前記一対の固定接触子は、自身を流れる電流によって発生する磁束が前記アーク消弧用永久磁石の磁束に一致するように構成するとともに、
前記可動接触子は、可動部に支持された電導板であり、表裏面の一方の面の長手方向の両端側に前記一対の可動接点を有し、
前記一対の固定接触子は、前記可動接触子の長手方向の両端側で前記長手方向に直交して配置され、前記可動接点に接離する前記固定接点を有する第１導電板部と、
前記可動接触子に直交する方向に離れた前記第１導電板部の端部から折り曲げられて前記可動接触子の表裏方向に延在する第２導電板部と、を備えた側面視Ｌ字形状の導電板であることを特徴とする接点機構。
【請求項２】
前記一対の固定接触子は、前記第２導電板部の端部から前記第１導電板部に対して平行に延在する第３導電板部を備えた側面視Ｃ字形状の導電板であることを特徴とする請求項１記載の接点機構。
【請求項３】
前記アーク消弧用永久磁石は、前記可動接触子の長手方向の外方に向って磁束が流れるように配置されていることを特徴とする請求項２記載の接点機構。
【請求項４】
請求項１乃至３の何れか１項に記載の接点機構を備え、
前記可動接触子が操作用電磁石の可動鉄心に連結され、前記固定接触子が外部接続端子に接続されていることを特徴とする電磁接触器。
【発明の詳細な説明】
【技術分野】
【０００１】
本発明は、電流路の開閉を行う接点機構及びこれを使用した電磁接触器に関する。
【背景技術】
【０００２】
電流遮断時にアークが発生する電磁接触器などに適用する接点機構として、例えば特許文献１に記載されているものが知られている。この特許文献１の接点機構は、所定間隔を設けて配置されている一対の固定接触子と、これら一対の固定接触子に対して接離自在に配置されている可動接触子と、これら一対の固定接触子及び可動接触子を収納している絶縁材で形成した接点収納ケースと、を備えている。そして、接点収納ケース内の可動接触子に沿う対向内周面に、それぞれ互いの対向磁極面を同一極性に着磁した一対のアーク消弧用内側永久磁石を可動接触子に近接させて配置し、接点収納ケースの一対のアーク消弧用内側永久磁石のそれぞれに対向する外周面の位置に、アーク消弧用内側永久磁石と同極性で且つ当該アーク消弧用内側永久磁石より保磁力が大きい一対のアーク消弧用外側永久磁石を配置している。
【０００３】
この接点機構によると、一対の固定接触子間に可動接触子が接触している投入状態から釈放状態とする際に、一対の固定接触子と可動接触子との間にアークが発生すると、互いに対向配置されている各対のアーク消弧用内側永久磁石及びアーク消弧用外側永久磁石のＮ極からＳ極に向かう磁束が共に一対の固定接触子と可動接触子との間のアークが発生した位置に対して可動接触子の長手方向に横切ることになり、アークに対してローレンツ力を作用し、可動接触子の長手方向と直交する方向にアークを引き伸ばして消弧するようにしている。
【先行技術文献】
【特許文献】
【０００４】
【特許文献１】特開２０１３−９８０５１号公報
【発明の概要】
【発明が解決しようとする課題】
【０００５】
ところで、特許文献１の装置は、永久磁石（アーク消弧用内側永久磁石及びアーク消弧用外側永久磁石の間）で発生する磁束のみでアークを引き伸ばしている。そのため、数Ｋアンペアの大電流を遮断する場合、発生したアークを引き伸ばす力が不足し、アークの伸長方向が変化して消弧性能が低下するおそれがある。
そこで、本発明は、数Ｋアンペアの大電流を遮断する場合であっても、十分にアークを引き伸ばす力を発生して消弧性能を向上させることができる接点機構及びこれを使用した電磁接触器を提供することを目的としている。
【課題を解決するための手段】
【０００６】
上記目的を達成するために、本発明の一態様に係る接点機構は、固定接点を有する一対の固定接触子と、これら一対の固定接触子の固定接点に接離可能な一対の可動接点を長手方向の両端側に設けた可動接触子と、一対の固定接触子及び可動接触子を収納している絶縁材で形成した接点収納ケースと、この接点収納ケースに固定したアーク消弧用永久磁石と、を備えている。そして、固定接点及び可動接点の間に発生するアークの電流と、アーク消弧用永久磁石の磁束とによって、アークにローレンツ力を発生させ、一対の固定接触子は、自身を流れる電流によって発生する磁束がアーク消弧用永久磁石の磁束に一致するように構成するとともに、可動接触子は、可動部に支持された電導板であり、表裏面の一方の面の長手方向の両端側に一対の可動接点を有し、一対の固定接触子は、可動接触子の長手方向の両端側で前記長手方向に直交して配置され、可動接点に接離する固定接点を有する第１導電板部と、可動接触子に直交する方向に離れた第１導電板部の端部から折り曲げられて可動接触子の表裏方向に延在する第２導電板部と、を備えた側面視Ｌ字形状の導電板である。
【０００７】
また、本発明の一態様に係る電磁接触器は、上記可動接触子が操作用電磁石の可動鉄心に連結され、上記固定接触子が外部接続端子に接続されている。
【発明の効果】
【０００８】
本発明に係る接点機構及びこれを使用した電磁接触器によれば、固定接点及び可動接点の間に発生するアークの電流と、アーク消弧用永久磁石の磁束とによって、アークにローレンツ力を発生させるとともに、一対の固定接触子は、自身を流れる電流によって発生する磁束がアーク消弧用永久磁石の磁束に一致するように構成していることから、固定接点と可動接点との間に大電流が流れても、アーク消弧用永久磁石で発生する磁束と、固定接触子を流れる電流により発生する磁束と、固定接点と可動接点との間に発生したアークの電流の流れとの関係から、アークを引き伸ばす大きなローレンツ力が作用するので、アークの伸長方向を変化させずに消弧を確実に行うことができる。
【図面の簡単な説明】
【０００９】
【図１】本発明の第１実施形態の電磁接触器を示す断面図である。
【図２】図１のII−II線矢視図である。
【図３】本発明の第１実施形態の固定接触子及び可動接触子の構造を示す斜視図である。
【図４】本発明の第１実施形態の接点収納ケースの内部及びこれに固定したアーク消弧用永久磁石を示す図である。
【図５】本発明の第１実施形態有極性とした接点機構の電流の流れ方向を示したものである。
【図６】本発明の第１実施形態の接点収納ケースの内部のローレンツ力の発生を示す図である。
【図７】図６のVII−VII線矢視図である。
【図８】図６のVIII−VIII線矢視図である。
【発明を実施するための形態】
【００１０】
以下、本発明を実施するための形態（以下、実施形態という。）を、図面を参照しながら詳細に説明する。
図１に示す本発明に係る第１実施形態の電磁接触器１は、接点機構２と、この接点機構２を駆動する電磁石ユニット２０とを備えている。
接点機構２は接点収納ケース４に収納されており、接点収納ケース４は、金属製の角筒体５と、この角筒体５の上端を閉塞する例えばセラミックや合成樹脂材などの絶縁材料により形成した絶縁基板６とを備えている。
【００１１】
角筒体５は、下部に形成したフランジ部７が電磁石ユニット２０の上部磁気ヨーク２１にシール接合されて固定されている。絶縁基板６には、貫通孔９，１０が所定間隔をあけて形成されている。
接点機構２は、絶縁基板６に導体部１１，１２を介して固定されている一対の固定接触子１３，１４（以下、第１固定接触子１３、第２固定接触子と称する）と、これら第１及び第２固定接触子１３，１４に設けた第１及び第２固定接点１３ａ，１４ａに第１及び第２可動接点１５ａ，１５ｂが対向している可動接触子１５とを備えている。
【００１２】
第１固定接触子１３には、アークの発生を規制する合成樹脂性の絶縁カバー１６が装着され、第２固定接触子１３にも、アークの発生を規制する合成樹脂性の絶縁カバー１７が装着されている。これにより、第１固定接触子１３の内周面では、第１固定接点１３ａのみが露出し、第２固定接触子１４の内周面では、第２固定接点１４ａのみが露出している。
【００１３】
可動接触子１５は、電磁石ユニット２０の可動プランジャ２２に固定された連結軸２３に支持されており、可動接触子１５の中央部に連結軸２３を挿通する貫通孔２４が形成されている。
連結軸２３の長手方向の中央部には外方に突出するフランジ部２５が形成されており、可動接触子１５の貫通孔２４に連結軸２３を上端から挿入することで、可動接触子１５の中央下部をフランジ部２５に当接し、連結軸２３の上部から接触スプリング２６を挿入する。そして、連結軸２の上端に固定したＣリング２７で接触スプリング２６の上端を固定することで、接触スプリング２６が可動接触子１５に対して所定の付勢力を付与している。
【００１４】
また、接点収容ケース４の角筒体６の内周面には、有底角筒状に形成された絶縁筒部１８が配設されている。この絶縁筒部１８は、絶縁性の例えば合成樹脂を成形することによって形成され、金属製の角筒体５に対するアークの影響を遮断する絶縁機能を有する。
電磁石ユニット２０は、側面から見て扁平なＵ字形状の磁気ヨーク２８を有し、この磁気ヨーク２８の底板部の中央部に固定プランジャ２９が配置され、この固定プランジャ２９の外側にスプール３０が配置されている。
【００１５】
スプール３０は、固定プランジャ２９を挿通する中央円筒部３１と、この中央円筒部３１の下端部から半径方向外方に突出する下フランジ部３２と、中央円筒部３１の上端より僅かに下側から半径方向外方に突出する上フランジ部３３とで構成されている。そして、中央円筒部３１、下フランジ部３２及び上フランジ部３３で構成される収納空間に励磁コイル３４が巻装されている。
【００１６】
磁気ヨーク２８の開放端となる上端に固定した上部磁気ヨーク２１には、中央部にスプール３０の中央円筒部３１に対向する貫通孔２１ａが形成されている。
スプール３０の中央円筒部３１内に挿入された固定プランジャ２９の上部には、有底筒状に形成されたキャップ３５で覆われ、このキャップ３５の開放端に半径方向外方に延長して形成されたフランジ部３５ａが上部磁気ヨーク２１の下面にシール接合されている。これによって、キャップ３５が上部磁気ヨーク２１の貫通孔２１ａを介して連通される密封容器が形成される。
【００１７】
キャップ３５の内部に、最下部に復帰スプリング３６を配置した可動プランジャ２２が上下に摺動可能に挿入される。この可動プランジャ２２には、上部磁気ヨーク２１から上方に突出する上端部に半径方向外方に突出する周鍔部２２ａが形成されている。
また、上部磁気ヨーク２１の上面に、環状に形成された駆動用永久磁石３７が可動プランジャ２２の外周周鍔部２２ａを囲むように固定されている。この駆動用永久磁石３７は上下方向すなわち厚み方向に例えば上端側をＮ極とし、下端側をＳ極とするように着磁されている。
【００１８】
そして、駆動用永久磁石３７の上端面に、駆動用永久磁石３７と同一外形で可動プランジャ２２の周鍔部２２ａの外径より小さい内径の貫通孔３８を有する補助ヨーク３９が固定されており、この補助ヨーク３９の下面に、可動プランジャ２２の周鍔部２２ａが接触している。
そして、密閉された接点収納ケース４に水素ガス、窒素ガス、水素及び窒素の混合ガス、空気、ＳＦ6等のガスが封入されている。
【００１９】
接点機構２を構成する可動接触子１５は、銅、アルミニウムなどを材料とした図１の左右方向に長尺な導電板であり、長手方向の中央部に連結軸２３が連結されており、長手方向の両端側の下面に、第１可動接点１５ａ及び第２可動接点１５ｂが形成されている。
接点機構２を構成する第１固定接触子１３及び第２固定接触子１４は、図１から図３に示すように、銅、アルミニウムなどからなる側面視Ｃ字形状の導電板であり、可動接触子１５の長手方向の両端側に離間し、前述した絶縁基板６に導体部１１，１２を介して固定されている。
【００２０】
第１固定接触子１３は、可動接触子１５の第１可動接点１５ａ側に、長手方向に対して直交する方向に配置されており、可動接触子１５の第１可動接点１５ａに下側から対向し、第１固定接点１３ａを上面に設けた第１導電板部１３ｂと、可動接触子１５から離れた第１導電板部１３ｂの端部から折り曲げられて上方に延在している第２導電板部１３ｃと、第２導電板部１３ｃの上端から折り曲げられて可動接触子１５の上方に延在している第３導電板部１３ｄと、を備えている。
【００２１】
また、第２固定接触子１４は、可動接触子１５の第２可動接点１５ｂ側に長手方向に対して直交し、第１固定接触子１３に平行に配置されており、可動接触子１５の第２可動接点１５ｂに下側から対向し、第２固定接点１４ａを上面に設けた第１導電板部１４ｂと、可動接触子１５から離れた第１導電板部１４ｂの端部から折り曲げられて上方に延在している第２導電板部１４ｃと、第２導電板部１４ｃの上端から折り曲げられて可動接触子１５の上方に延在している第３導電板部１４ｄと、を備えている。
【００２２】
そして、可動接触子１５は、釈放状態で、長手方向の両端側に位置する可動接点１５ａ，１５ａと、固定接触子１３，１４の固定接点１３ａ，１４ａとが、所定間隔を保って離間した状態となる。
また、可動接触子１５は、投入位置で、可動接点１５ａ，１５ｂが、固定接触子１３，１４の固定接点１３ａ，１４ａに、接触スプリング２６による所定の接触圧で接触するように設定されている。
【００２３】
一方、図４に示すように、角筒体５の外周には、第１〜第４アーク消弧用永久磁石４０〜４３が配置されている。
第１アーク消弧用永久磁石４０は、可動接触子１５の幅方向の一方の側面１５ｃに対向している角筒体５の外周面に固定され、第２アーク消弧用永久磁石４１は、可動接触子１５の幅方向の他方の側面１５ｄに対向している角筒体５の外周面に固定されている。
【００２４】
これら第１及び第２アーク消弧用側永久磁石４１，４２は、厚み方向の角筒体５に接する磁極面がＮ極となるように着磁されている。
また、第３アーク消弧用永久磁石４２は、可動接触子１５の長手方向の一方の側面１５ｅに対向している角筒体５の外周面に固定され、第４アーク消弧用永久磁石４３は、可動接触子１５の長手方向の他方の側面１５ｆに対向している角筒体５の外周面に固定されている。
【００２５】
これら第３及び第４アーク消弧用側永久磁石４２，４３は、厚み方向の角筒体５に接する磁極面がＳ極となるように着磁されている。
これにより、接点収納ケース４を構成する角筒体５の外周面に第１〜第４アーク消弧用永久磁石４０〜４４が固定されていることから、第１アーク消弧用永久磁石４０のＮ極から出て第３アーク消弧用永久磁石４２のＳ極に流れる磁束φ１と、第２アーク消弧用永久磁石４１のＮ極から出て第３アーク消弧用永久磁石４２のＳ極に流れる磁束φ１とが、第１固定接触子１３の第１固定接点１３ａと可動接触子１５の第１可動接点１５ａとの対向部の近くを通過して左右方向の左側に向って大きな磁束密度で横切る。
【００２６】
また、第１アーク消弧用永久磁石４０のＮ極から出て第４アーク消弧用永久磁石４３のＳ極に流れる磁束φ１と、第２アーク消弧用永久磁石４１のＮ極から出て第４アーク消弧用永久磁石４３のＳ極に流れる磁束φ１が、第２固定接触子１４の第２固定接点１４ａと可動接触子１５の第２可動接点１５ｂとの対向部の近くを通過して左右方向の右側に向って大きな磁束密度で横切る。
【００２７】
また、図４に示すように、接点収納ケース４内に配置された一対の固定接触子１３，１４は、可動接触子１５の長手方向の両端側に、幅方向の他方の側面１５ｄ側の長手方向に直交する方向に延在して配置されており、一対の固定接触子１３，１４に対して逆側の可動接触子１５の幅方向の一方の側面１５ｃ側に、アーク消弧空間４５、４６が形成されている。
【００２８】
ここで、本発明の絶縁ケースが絶縁カバー１６，１７及び絶縁筒部１８に対応し、本発明の固定接点が第１固定接点１３ａと第２固定接点１４ａに対応し、本発明の一対の可動接点が第１可動接点１５ａ，第２可動接点１５ｂに対応し、本発明のアーク消弧用永久磁石が第１〜第４アーク消弧用永久磁石４０〜４３に対応し、本発明の可動鉄心が可動プランジャ２２に対応し、本発明の操作用電磁石が電磁石ユニット２０に対応している。
次に、第１実施形態の電磁接触器１の動作を、図５及び図６を参照して説明する。
【００２９】
この第１実施形態の電磁接触器１は、第１固定接触子１３に正極（＋）端子を接続し、第２固定接触子１４に負極（−）端子を接続し、接点機構２の電流の流れ方向を限定した有極性の電磁接触器１である。
今、電磁石ユニット２０の励磁コイル３４が非通電状態にあって、電磁石ユニット２０で可動プランジャ２２を下降させる励磁力を発生していない釈放状態にあるものとする。
【００３０】
この釈放状態では、可動プランジャ２２が復帰スプリング３６によって、上部磁気ヨーク２１から離れる上方向に付勢される。これと同時に、駆動用永久磁石３７の磁力による吸引力が補助ヨーク３９に作用し、可動プランジャ２２の周鍔部２２ａが吸引される。このため、可動プランジャ２２の周鍔部２２ａの上面が補助ヨーク３９の下面に接触している。
【００３１】
このため、可動プランジャ２２に連結軸２３を介して連結されている接点機構２の可動接触子１５の第１可動接点１５ａ，第２可動接点１５ｂが、第１固定接触子１３の第１固定接点１３ａ、第２固定接触子１４の第２固定接点１４ａに対して上方に所定距離だけ離間している。このため、第１固定接触子１３及び第２固定接触子１４の間の電流路が遮断状態にあり、接点機構２が開極状態となっている。
【００３２】
この釈放状態から、電磁石ユニット２０の励磁コイル３４に通電すると、この電磁石ユニット２０で励磁力が発生し、可動プランジャ２２を復帰スプリング３６の付勢力及び駆動用永久磁石３７の吸引力に抗して下方に押し下げる。この可動プランジャ２２の下降が、周鍔部２２ａの下面が上部磁気ヨーク２１の上面に当たることで停止する。
このように、可動プランジャ２２が下降することにより、可動プランジャ２２に連結軸２３を介して連結されている可動接触子１５も下降し、接点機構２の可動接触子１５の第１可動接点１５ａ，第２可動接点１５ｂが、第１固定接触子１３の第１固定接点１３ａ、第２固定接触子１４の第２固定接点１４ａに対して接触スプリング２６の接触圧で接触する。
【００３３】
このため、電力供給源の大電流が、第１固定接触子１３、可動接触子１５、第２固定接触子１４を通じて負荷装置に供給される閉極状態となる。
この接点機構２の閉極状態から、負荷装置への電流供給を遮断する場合には、電磁石ユニット２０の励磁コイル３４への通電を停止する。
励磁コイル３４への通電を停止すると、電磁石ユニット２０で可動プランジャ２２を下方に移動させる励磁力がなくなることにより、可動プランジャ２２が復帰スプリング３６の付勢力によって上昇し、周鍔部２２ａが補助ヨーク３９に近づくに従って駆動用永久磁石３７の吸引力が増加する。
【００３４】
この可動プランジャ２２が上昇することにより、連結軸２３を介して連結された可動接触子１５が上昇する。これに応じて接触スプリング２６で接触圧を与えているときは、可動接触子１５の第１可動接点１５ａ，第２可動接点１５ｂが第１固定接触子１３の第１固定接点１３ａ、第２固定接触子１４の第２固定接点１４ａに接触している。その後、接触スプリング２６の接触圧がなくなった時点で、可動接触子１５が第１固定接触子１３及び第２固定接触子１４から上方に離間する開極開始状態となる。
【００３５】
このような開極開始状態となると、図５に示すように、可動接触子１５の第１可動接点１５ａと第１固定接触子１３の第１固定接点１３ａとの間に第１アーク５０が発生し、可動接触子１５の第２可動接点１５ｂと第２固定接触子１４の第１固定接点１４ａとの間に第２アーク５１が発生し、これらアーク５０，５１によって電流の通電状態が継続されることになる。このとき、第１アーク５０の電流方向は、第１固定接点１３ａから第１可動接点１５ａに向う方向であり、第２アーク５１の電流方向は、第２可動接点１５ｂから第２固定接点１４ａに向う方向である。
【００３６】
ここで、図６に示すように、第１アーク消弧用永久磁石４０のＮ極から出て第３アーク消弧用永久磁石４２のＳ極に流れる磁束φ１と、第２アーク消弧用永久磁石４１のＮ極から出て第３アーク消弧用永久磁石４２のＳ極に流れる磁束φ１とが、第１アーク５０の近くを通過して可動接触子１５の長手方向の一方の側面１５ｅの外方に向って発生する。
また、第１アーク消弧用永久磁石４０のＮ極から出て第４アーク消弧用永久磁石４３のＳ極に流れる磁束φ１と、第２アーク消弧用永久磁石４１のＮ極から出て第４アーク消弧用永久磁石４３のＳ極に流れる磁束φ１とが、第２アーク５１の近くを通過して動接触子１５の長手方向の他方の側面１５ｆの外方に向って発生する。
【００３７】
また、開極開始状態では、図７に示すように、第１固定接触子１３には、導体部１１から第３導電板部１３ｄ、第２導電板部１３ｃ、第１導電板部１３ｂの順で電流が流れ、各第３導電板部１３ｄ、第２導電板部１３ｃ、第１導電板部１３ｂの回りに電流による磁束φ２が発生する。
また、図８に示すように、第２固定接触子１４には、第１導電板部１４ｂ、第２導電板部１４ｃ、第３導電板部１３ｄの順で電流が流れ、各第１導電板部１４ｂ、第２導電板部１４ｃ、第３導電板部１３ｄ、の回りに電流による磁束φ２が発生する。
【００３８】
第１固定接触子１３の第１固定接点１３ａと可動接触子１５の第１可動接点１５ａとの間では、図７に示すように、第１固定接点１３ａ側から第１可動接点１５ａ側に第１アーク５０が流れ、第１アーク消弧用永久磁石４０、第２アーク消弧用永久磁石４１及び第３アーク消弧用永久磁石４２で発生する磁束φ１が可動接触子１５の長手方向の一方の側面１５ｅの外方に向って発生し、第１固定接触子１３を流れる電流により磁束φ２が発生する。これにより、第１アーク５０の電流の流れと磁束φ１、φ２との関係からフレミング左手の法則により、可動接触子１５に直交して第１固定接触子１３が配置されていない方向、すなわち、可動接触子１５の幅方向の一方の側面１５ｃ側のアーク消弧空間４５に向う側に大きなローレンツ力Ｆ１が発生する（図６及び図７参照）。
【００３９】
このローレンツ力Ｆ１によって、第１固定接点１３ａ及び第１可動接点１５ａの間に発生した第１アーク５０が、アーク消弧空間４５に向けて引き伸ばされる。
また、第２固定接触子１４の第２固定接点１４ａと可動接触子１５の第２可動接点１５ｂとの間では、図８に示すように、第２可動接点１５ｂ側から第２固定接点１４ａ側に第２アーク５１が流れ、第１アーク消弧用永久磁石４０、第２アーク消弧用永久磁石４１及び第４アーク消弧用永久磁石４３で発生する磁束φ１が可動接触子１５の長手方向の他方の側面１５ｆの外方に向って発生し、第２固定接触子１４を流れる電流により磁束φ２が発生する。これにより、第２アーク５１の電流の流れと磁束φ１、φ２との関係からフレミング左手の法則により、可動接触子１５に直交して第２固定接触子１４が配置されていない方向、すなわち、可動接触子１５の幅方向の一方の側面１５ｃ側のアーク消弧空間４６に向う側に大きなローレンツ力Ｆ２が発生する（図６及び図８参照）。
【００４０】
このローレンツ力Ｆ２によって、第２固定接点１４ａ及び第２可動接点１５ｂの間に発生した第２アーク５１が、アーク消弧空間４６に向けて引き伸ばされる。
また、図７に示すように、第１アーク５０の電流が流れる方向と、第１固定接触子１３の第２導電板部１３ｃを流れる電流の向きが逆になっており、これら逆向きの電流により電磁反発力が働き、第１アーク５０がアーク消弧空間４５に向けて引き伸ばされる。
【００４１】
さらに、図８に示すように、第２アーク５１の電流が流れる方向と、第２固定接触子１４の第２導電板部１４ｃを流れる電流の向きが逆になっており、これら逆向きの電流により電磁反発力が働き、第２アーク５１がアーク消弧空間４６に向けて引き伸ばされる。
したがって、この第１実施形態によると、第１固定接点１３ａと第１可動接点１５ａとの間に数Ｋアンペアの大電流が流れても、第１アーク消弧用永久磁石４０、第２アーク消弧用永久磁石４１及び第３アーク消弧用永久磁石４２により発生する磁束φ１と、第１固定接触子１３を流れる電流により発生する磁束φ２と、第１固定接点１３ａと第１可動接点１５ａとの間に発生した第１アーク５０の電流の流れとの関係から、第１アーク５０をアーク消弧空間４５に向けて引き伸ばす大きなローレンツ力Ｆ１が作用するので、第１アーク５０の伸長方向を変化させずに、第１アーク５０の消弧を確実に行うことができる。同様に、第２固定接点１４ａと第２可動接点１５ｂとの間に数Ｋアンペアの大電流が流れても、第１アーク消弧用永久磁石４０、第２アーク消弧用永久磁石４１及び第４アーク消弧用永久磁石４３により発生する磁束φ１と、第２固定接触子１４を流れる電流により発生する磁束φ２と、第２固定接点１４ａと第２可動接点１５ｂとの間に発生した第２アーク５１の電流の流れとの関係から、第２アーク５１をアーク消弧空間４６に向けて引き伸ばす大きなローレンツ力Ｆ２が作用するので、第２アーク５１の伸長方向を変化させずに、第２アーク５１の消弧を確実に行うことができる。
【００４２】
また、第１アーク５０の電流が流れる方向と、第１固定接触子１３の第２導電板部１３ｃを流れる電流の向きが逆になっており、これら電流の逆向きによる電磁反発力の作用で第１アーク５０がアーク消弧空間４５に向けて、さらに引き伸ばされるので、第１アーク５０の消弧を促進することができる。同様に、第２アーク５１の電流が流れる方向と、第２固定接触子１４の第２導電板部１４ｃを流れる電流の向きが逆になっており、これら電流の逆向きによる電磁反発力の作用で第２アーク５１がアーク消弧空間４６に向けて、さらに引き伸ばされるので、第２アーク５１の消弧を促進することができる。
【００４３】
なお、上述した第１実施形態は、接点機構２を構成する第１固定接触子１３（及び第２固定接触子１４）を側面視Ｃ字形状の導電板で形成したが、本発明の要旨がこれに限定されるものではなく、例えば、可動接触子１５の第１可動接点１５ａ側（及び第２可動接点１５ｂ側）に、第１可動接点１５ａ（及び第２可動接点１５ｂ）に下側から対向し、第１固定接点（及び第２固定接点）を上面に設けた第１導電板部と、可動接触子１５から離れた第１導電板部の端部から折り曲げられて上方に延在している第２導電板部とからなる側面視Ｌ字形状の電導板であってもよい。
【００４４】
また、第１実施形態では、接点収納ケース４を構成する角筒体５の外周面に第１〜第４アーク消弧用永久磁石４０〜４３を固定しているが、これに限定されるものではなく、第１固定接触子１３の第１固定接点１３ａと可動接触子１５の第１可動接点１５ａとの対向部の近くを通過して左右方向の左側に向う磁束を形成するとともに、第２固定接触子１４の第２固定接点１４ａと可動接触子１５の第２可動接点１５ｂとの対向部の近くを通過して左右方向の右側に向かう磁束を形成するものであれば、他の形状及び配置の永久磁石にしてもよい。
【符号の説明】
【００４５】
１…電磁接触器、２…接点機構、４…接点収納ケース、５…角筒体、６…絶縁基板、７…フランジ部、９，１０…貫通孔、１１，１２…導体部、１３…第１固定接触子、１３ａ…第１固定接点、１３ｂ…第１導電板部、１３ｃ…第２導電板部、１３ｄ…第３導電板部、１４…第２固定接触子、１４ａ…第２固定接点、１４ｂ…第１導電板部、１４ｃ…第２導電板部、１４ｄ…第３導電板部、１５…可動接触子、１５ａ…第１可動接点、１５ｂ…第２可動接点、１５ｃ…可動接触子の幅方向の一方の側面、１５ｄ…可動接触子の幅方向の他方の側面、１５ｅ…可動接触子の長手方向の一方の側面、１５ｆ…可動接触子の長手方向の他方の側面、１６，１７…絶縁カバー，１８…絶縁筒部、２０…電磁石ユニット、２１…上部磁気ヨーク、２１ａ…貫通孔、２２…可動プランジャ、２３…連結軸、２４…貫通孔、２５…フランジ部、２６…接触スプリング、２７…Ｃリング、２８…磁気ヨーク、２９…固定プランジャ、３０…スプール、３１…中央円筒部、３２…下フランジ部、３３…上フランジ部、３４…励磁コイル、３５…キャップ、３６…復帰スプリング、３７…駆動用永久磁石、３８…貫通孔、３９…補助ヨーク、４０…第１アーク消弧用永久磁石、４１…第２アーク消弧用永久磁石、４２…第３アーク消弧用永久磁石、４３…第４アーク消弧用永久磁石、４５，４６…アーク消弧空間、５０…第１アーク、５１…第２アーク、Ｆ１，Ｆ２…ローレンツ力
【図１】
0006359896.tif 000002
【図２】
0006359896.tif 000003
【図３】
0006359896.tif 000004
【図４】
0006359896.tif 000005
【図５】
0006359896.tif 000006
【図６】
0006359896.tif 000007
【図７】
0006359896.tif 000008
【図８】
0006359896.tif 000009